(57)【要約】【課題】ケーシングの背面板を伝って流れ落ちて来る水滴が背面板に形成する空気取入口からケーシング内部へ浸入するのを防止することができる温風暖房機を提供する。【解決手段】温風暖房機２は、ケーシング１を構成する背面板１１に該背面板１１を貫通する多数の空気取入口１０を形成してあり、背面板１１の所定範囲を内方へ凹ませて凹み部３を形成し、凹み部３の構成面に空気取入口１０を形成すると共に、凹み部３の上辺を背面板１１と分離し、凹み部３の下辺と背面板１１との間を下面３６で閉塞する構成としている。【選択図】図２
2011122809.tif 000002
【特許請求の範囲】
【請求項１】
ケーシングを構成する背面板に該背面板を貫通する多数の空気取入口を形成した温風暖房機において、
背面板の所定範囲を内方へ凹ませて凹み部を形成し、
凹み部の構成面に前記空気取入口を形成すると共に、凹み部の上辺を前記背面板と分離し、凹み部の下辺と前記背面板との間を下面で閉塞する構成とした温風暖房機。
【請求項２】
請求項１に記載の温風暖房機において、
前記凹み部は、内方に向って相互に近づく方向に傾斜する一対の斜面と、両斜面間を連結する略縦長長方形状の底面とを有し、
前記多数の空気取入口は、一方の斜面から底面にかけて形成する横長の空気取入口を縦方向に複数並設する第１空気取入口群と、他方の斜面から底面にかけて形成する横長の空気取入口を縦方向に複数並設する第２空気取入口群と、底面の縦中心線に沿って形成する縦長の空気取入口とを有する温風暖房機。
【請求項３】
請求項１又は２に記載の温風暖房機において、
前記凹み部の幅よりも長い開口を凹み部の上辺に沿って形成する温風暖房機。
【発明の詳細な説明】
【技術分野】
【０００１】
本発明は、温風暖房機に関し、特にガスファンヒータ等の温風暖房機の背面から内部への水の浸入を防止する構造に関する。
【背景技術】
【０００２】
図５に示すように、温風暖房機としてのガスファンヒーターは、ケーシング５０１内に温風発生装置５２１とこれの各動作を制御する制御装置５２０が内蔵されてあり、ケーシング５０１を構成する背面板５１１には、温風発生装置５２１の燃焼部に燃焼用空気を送り込むための空気取入口５１０が多数貫通されている。背面板５１１は略全域がフラット面からなり、横長長円形の孔で構成する空気取入口５１０が縦横に一定間隔ごとに並設されている。
【先行技術文献】
【特許文献】
【０００３】
【特許文献１】実公昭６１−１７３１４号公報
【発明の概要】
【発明が解決しようとする課題】
【０００４】
ところで、従来のケーシング５０１では、図６に示すように、ケーシング５０１の上面にこぼれた水滴Ｗは、背面板５１１の外面５１１ａを伝って下方へ流れて落ちて行き、空気取入口５１０の上端辺５１０ａに至ると、上端辺５１０ａから下端辺５１０ｂに向って滴下される。この滴下された水滴Ｗは下端辺５１０ｂに当たって略放射状に飛散し、その一部がケーシング５０１内に浸入してしまう不都合があった。ケーシング５０１内に浸入した水滴Ｗが制御装置５２０の電装部にかかった場合に電装部が作動不良を起こして制御装置５２０を故障させるおそれがある。
【０００５】
本発明は、上記事情に鑑みてなされたものであり、ケーシングの背面板を伝って流れ落ちて来る水滴が背面板に形成する空気取入口からケーシング内部へ浸入するのを防止することができる温風暖房機を提供することを課題とする。
【課題を解決するための手段】
【０００６】
本発明に係る温風暖房機は、
ケーシングを構成する背面板に該背面板を貫通する多数の空気取入口を形成した温風暖房機において、
背面板の所定範囲を内方へ凹ませて凹み部を形成し、
凹み部の構成面に前記空気取入口を形成すると共に、凹み部の上辺を前記背面板と分離し、凹み部の下辺と前記背面板との間を下面で閉塞する構成としたものである。
【０００７】
上記構成より、ケーシングの上面から背面板を流れ落ちて来る水滴は、凹み部の上辺と分離された背面板部分で水切りされ、凹み部内に流れることなく下方に滴下される。そして、空気取入口は凹み部の構成面に形成されているので、滴下された水滴は空気取入口に当たることなくそのまま下方へ滴下される。また、凹み部の下辺と前記背面板との間を下面で閉塞するので、滴下された水滴が下面に当たって外方へ飛散されるからケーシング内への水滴の浸入が防止される。
【０００８】
前記凹み部は、内方に向って相互に近づく方向に傾斜する一対の斜面と、両斜面間を連結する略縦長長方形状の底面とを有し、
前記多数の空気取入口は、一方の斜面から底面にかけて形成する横長の空気取入口を縦方向に複数並設する第１空気取入口群と、他方の斜面から底面にかけて形成する横長の空気取入口を縦方向に複数並設する第２空気取入口群と、底面の縦中心線に沿って形成する縦長の空気取入口とを有する構成とするのが望ましい。
これにより、多数の空気取入口からケーシング内に取り込まれる燃焼用空気の流れ方向を従来のフラットな背面板に設けた場合とほとんど変わりなくすることができる。また、第１空気取入口群と第２空気取入口群とは、斜面から底面にかけて横長に形成するので、従来のフラットな背面板に形成する空気取入口よりも開口面積を多くすることができる。しかも、凹み部の底面にも縦長の空気取入口を形成するので、多くの燃焼用空気を取り込むことができる。従って、凹み部に空気取入口を設けても、燃焼性能に影響を与えることはない。
【０００９】
前記凹み部の幅よりも長い開口を凹み部の上辺に沿って形成するのが望ましい。
これにより、ケーシングの上面から背面板を流れ落ちて来る水滴は、前記開口の上端辺で水切りされ、より確実に凹み部内に流れることなく下方に滴下される。
【発明の効果】
【００１０】
以上のように、本発明に係る温風暖房機によれば、ケーシング上面から背面へ流れ落ちて来る水滴が空気取入口からケーシング内に浸入することを確実に防止することができ、ケーシング内の電装部に水による悪影響を及ぼすことも防止される。しかも、背面板には特別な部品を追加することなく背面板の所定範囲を全体に内方へ凹ませる形状変更だけでよいから、コストもかからず、ケーシングの組み付け作業も従来と同様に行うことができる。
【図面の簡単な説明】
【００１１】
【図１】実施形態におけるガスファンヒーターの正面からの外観を示す斜視図である。
【図２】実施形態におけるガスファンヒーターの背面からの外観を示す斜視図である。
【図３】ガスファンヒーターの背面の要部拡大図である。
【図４】図３の内部構造と一部を省略したＸ−Ｘ断面図である。
【図５】従来のガスファンヒーターの背面図である。
【図６】図５の内部構造を省略したＹ−Ｙ断面図である。
【発明を実施するための形態】
【００１２】
以下に、本発明の実施形態について添付図面を参照しながら説明する。
図１に示すように、温風暖房機としてのガスファンヒーター２において、ケーシング１内には、温風発生装置２１と制御装置２０が左右に位置するように収納されている。温風発生装置２１が収納されている箇所に対応するケーシング１の前面板１２の下部域には、温風発生装置２１で生成される温風が吹き出される温風吹出口２２が形成されている。制御装置２０が収納されている箇所に対応する前面板１２の上面には、温風発生装置２１の各動作を操作するＯＮ・ＯＦＦスイッチや温度調整等を操作する操作部２３が形成されてある。また、図２に示すように、ケーシング１の背面板１１には、温風発生装置２１の燃焼部に送り込む燃焼用空気や対流用空気等を取り込むための横長長円形状の多数の空気取入口１０が背面板１１を貫通して形成されている。
【００１３】
多数の空気取入口１０を縦方向に相互に平行に並列させて空気取入口群が構成され、この空気取入口群は、横に４列設けられて第１〜第４空気取入口群３１，３２，３３，３４を構成している。第１、第２空気取入口群３１，３２は制御装置２０の収納箇所に対応するように設けられ、第３、第４空気取入口群３３，３４は、第１、第２空気取入口群３１，３２よりも大きく形成されていると共に、温風発生装置２１の収納箇所に対応するように設けられる。なお、背面板１１には、各空気取入口１０から埃やゴミ等がケーシング１内へ入り込まないように、第１〜第４空気取入口群３１，３２，３３，３４の全体を覆うようにフィルター（図示せず）が止めネジ１３と受け具１４によって支持されて取り付けられる。
【００１４】
ところで、制御装置２０は、電装部等から構成されていることから、埃やゴミのほかに水滴からも確実に保護しなければならない。このため、第１、第２空気取入口群３１，３２の形成域は、矩形状に囲むと共にその範囲全体を内方へ凹ませた凹み部３が形成されている。
【００１５】
凹み部３は、図２及び図３に示すように、ケーシング１の背面板１１のうち凹み部３の形成予定範囲の上辺３７に沿って凹み部３よりも長い範囲を打抜いて開口１６を形成すると共に、開口１６の下方域を内方へプレス等で凹ますことにより左右一対の斜面３０ａ，３０ｂとこれら斜面３０ａ，３０ｂを連結する底面３５とから構成する凹み部３を構成するようにしたものである。図４に示すように、凹み部３の上辺３７は開口１６を介して背面板１１から内方へ分離され、凹み部３の下辺３８と背面板１１との間は略台形状の下面３６によって閉塞されている。なお、下面３６は開放端側に向って降下する傾斜面とする。
【００１６】
第１空気取入口群３１を構成している各空気取入口１０１は、一方の斜面３０ａの開放端近傍から底面３５に至る範囲に形成されてあり、第２空気取入口群３２を構成している各空気取入口１０２は、他方の斜面３０ｂの開放端近傍から底面３５に至る範囲形成されている。そして、これら第１、第２空気取入口群３１，３２の間の底面３５には、縦中心線に沿って、縦長長円形状の縦長孔部１５で構成する空気取入口１０や、空気取入口１０１，１０２よりも短い長円形孔部１７で構成する空気取入口１０等が形成されている。
【００１７】
図４を参照して、ケーシング１の上面にかかった水滴Ｗが背面板１１の外面１１ａを伝って制御装置２０が収納されている部分へ流れ落ちて来た場合、制御装置２０の収納位置に対応する箇所に形成されている凹み部３は、開口１６を介して背面板１１と分離された状態となっているから、水滴Ｗは、開口１６の上端辺で水切りされ、開口１６の上端辺から直接下面３６へ滴下され、凹み部３内に入り込むことはない。従って、凹み部３を構成している両斜面３０ａ，３０ｂと底面３５にかけて形成されている空気取入口１０１，１０２に水滴Ｗが当たることがないから、空気取入口１０１，１０２から水滴Ｗがケーシング１内に浸入することがない。また、凹み部３の下辺と背面板１１との間を下面３６で閉塞するので、滴下された水滴Ｗが下面３６に当たって外方へ飛散されるからケーシング１内への水滴Ｗの浸入が防止される。よって、制御装置２０に水がかかって電装部品等が故障するといった不都合を確実に防止することができる。
【００１８】
凹み部３は、台形状に浅く凹む態様に構成してあるから、斜面３０ａ，３０ｂと底面３５にかけて形成されている空気取入口１０１，１０２から取り込まれる空気の流れの向きは、フラットな背面板に形成されている空気取入口から取り込まれる場合と略変わらない。また、第１空気取入口群３１と第２空気取入口群３２とは、各斜面３０ａ，３０ｂから底面３５にかけて横長に形成するので、従来のフラットな背面板に形成する空気取入口よりも開口面積を多くすることができ、しかも、凹み部３の底面３５にも縦長孔部１５で構成する空気取入口１０や短い長円形孔部１７で構成する空気取入口１０を形成するので、多くの燃焼用空気を取り込むことができる。従って、背面板１１に凹み部３を形成し、凹み部３内に空気取入口１０１，１０２を設けても、燃焼部の燃焼性能に影響を及ぼすことなく、燃焼部に燃焼用空気を送り込むことができる。また、凹み部３は、プレス加工するだけで背面板１１に形成することができるから、容易に且つ安価に水滴の浸入防止構造を構成することができる。
【００１９】
なお、本発明は上記実施形態のみに限定されない。
例えば、凹み部３は、背面板１１のうち制御装置２０の収納位置に対応する箇所のほか、温風発生装置２１の収納位置に対応する箇所にも形成しても良い。
また、温風暖房機としては、ガスファンヒーター２に限らず、石油ファンヒーター等の他の温風暖房機でも良い。
【符号の説明】
【００２０】
１  ケーシング
２  ガスファンヒーター（温風暖房機）
３  凹み部
１０，１０１，１０２  空気取入口
１１  背面板
１５  縦長孔部（空気取入口）
１６  開口
１７  長円形孔部（空気取入口）
３０ａ，３０ｂ  斜面
３１  第１空気取入口群
３２  第２空気取入口群
３５  底面
３６  下面
Ｗ  水滴
【図１】
2011122809.tif 000003
【図２】
2011122809.tif 000004
【図３】
2011122809.tif 000005
【図４】
2011122809.tif 000006
【図５】
2011122809.tif 000007
【図６】
2011122809.tif 000008